【手続補正書】
【提出日】平成18年5月25日(2006.5.25)
【手続補正１】
【補正対象書類名】特許請求の範囲
【補正対象項目名】全文
【補正方法】変更
【補正の内容】
【特許請求の範囲】
【請求項１】
ワイヤレスローカルエリアネットワークおよび携帯電話ネットワークの統合システムでサービスを整合させる方法において、
ユーザ機器がワイヤレスローカルエリアネットワークおよび携帯電話ネットワークに同時にアクセスする能力に従って前記システムにアクセスするユーザ機器のタイプを分類するステップと、
前記ワイヤレスローカルエリアネットワークと前記携帯電話ネットワークの間の統合レベルを識別するステップと、
前記ユーザ機器のタイプおよび前記統合レベルに基づいて、入来する移動体セッション終了についての変更を前記ユーザ機器へ送信するステップと、
前記ユーザ機器のタイプおよび前記統合レベルに基づいて、ユーザトラフィックを前記ユーザ機器へルーティングするステップと
を含むことを特徴とする、サービスを整合させる方法。
【請求項２】
前記ユーザ機器のタイプが、ワイヤレスローカルエリアネットワークアクティブモードおよび携帯電話アクティブモードで動作可能なユニットを含み、それにより該ユニットは、ワイヤレスローカルエリアネットワークおよび携帯電話の両方の無線チャネルでデータを同時に送受信する機能を有し、
前記ユーザ機器のタイプが、ワイヤレスローカルエリアネットワークアイドルモードおよび携帯電話アイドルモードで同時に動作可能なユニットを含み、それにより該ユニットは、ワイヤレスローカルエリアネットワークアクティブモードまたは携帯電話アクティブモードのいずれかの機能を備えるが、同時に両方は備えず、前記ユニットは、ワイヤレスローカルエリアネットワークおよび携帯電話ネットワークの両方で同時にデータ信号・制御メッセージを送受信することが可能であるが、ワイヤレスローカルエリアネットワーク無線チャネルおよび携帯電話無線チャネルの一方でのみユーザ転送指示データを送受信することが可能であり、
前記ユーザ機器のタイプが、アイドルモードおよびアクティブモードのいずれの間も、ワイヤレスローカルエリアネットワークモードまたは携帯電話モードのいずれかで動作可能であるが、同時に両方では動作可能でないユニットを含む
ことを特徴とする請求項１に記載の方法。
【請求項３】
前記統合レベルの分類を提供するステップをさらに含み、レベル０統合は、前記ワイヤレスローカルエリアネットワークと前記携帯電話ネットワークの間に所定のデータ信号・制御情報を交換するための接続およびユーザ転送指示データを交換するための接続を提供せず、レベル１統合は、前記ワイヤレスローカルエリアネットワークと前記携帯電話ネットワークの間に前記所定のデータ信号・制御情報を交換するための接続を提供するがユーザ転送指示データを交換するための接続を提供せず、レベル２統合は、前記ワイヤレスローカルエリアネットワークと前記携帯電話ネットワークの間に所定のデータ信号・制御情報を交換するための接続を提供するとともにユーザ転送指示データを交換するための接続を提供することを特徴とする請求項１に記載の方法。
【請求項４】
前記所定のデータ信号・制御情報が、呼またはセッションの設定に関連するデータ信号・制御情報を含むことを特徴とする請求項３に記載の方法。
【請求項５】
前記ユーザ機器のタイプおよび前記統合レベルが、前記ユーザ機器が前記携帯電話ネットワークおよび前記ワイヤレスローカルエリアネットワークの少なくとも一方から情報を受信することができないものである場合、前記携帯電話ネットワークおよび前記ワイヤレスローカルエリアネットワークの一方が、前記ユーザ機器との通信の利用可能性に従って、前記携帯電話ネットワークおよび前記ワイヤレスローカルエリアネットワークの他方を通じて前記ユーザ機器に変更情報を提供し、
前記ユーザ機器のタイプおよび前記統合レベルが、前記ユーザ機器が前記携帯電話ネットワークおよび前記ワイヤレスローカルエリアネットワークの両方から情報を受信するものである場合、前記携帯電話ネットワークおよび前記ワイヤレスローカルエリアネットワークの一方が前記ユーザ機器に変更情報を提供する
ことを特徴とする請求項１に記載の方法。
【請求項６】
前記ユーザ機器のタイプおよび前記統合レベルが、前記ユーザ機器が前記携帯電話ネットワークおよび前記ワイヤレスローカルエリアネットワークの少なくとも一方から情報を受信することができないものである場合、前記携帯電話ネットワークおよび前記ワイヤレスローカルエリアネットワークの一方が、前記ユーザ機器との通信の利用可能性に従って、前記携帯電話ネットワークおよび前記ワイヤレスローカルエリアネットワークの他方を通じて前記ユーザ機器に変更情報を提供し、
前記ユーザ機器のタイプおよび前記統合レベルが、前記ユーザ機器が前記携帯電話ネットワークおよび前記ワイヤレスローカルエリアネットワークの両方から情報を受信するものである場合、前記携帯電話ネットワークが、前記携帯電話ネットワークから前記ユーザ機器への通信に関する変更情報を提供し、
前記ユーザ機器のタイプおよび前記統合レベルが、前記ユーザ機器が前記携帯電話ネットワークおよび前記ワイヤレスローカルエリアネットワークの両方から情報を受信するものである場合、前記ワイヤレスローカルエリアネットワークが、前記ワイヤレスローカルエリアネットワークから前記ユーザ機器への通信に関する変更情報を提供する
ことを特徴とする請求項１に記載の方法。
【請求項７】
変更を受信した後、所定の基準に従って接続ステータスを変更するステップをさらに含み、該所定の基準がサービス品質を含むことを特徴とする請求項１に記載の方法。
【請求項８】
ワイヤレスローカルエリアネットワークおよび携帯電話ネットワークの複数の統合システムでサービスを整合させる方法において、
ユーザ機器がワイヤレスローカルエリアネットワークおよび携帯電話ネットワークに同時にアクセスする能力に従って前記システムにアクセスするユーザ機器のタイプを分類するステップと、
前記ワイヤレスローカルエリアネットワークと前記携帯電話ネットワークの間の統合レベルを識別するステップと、
前記ユーザ機器がローカルエリアネットワークサービスおよび携帯電話ネットワークサービスを同時に提供する場合、共用サービスのために、入来する移動体セッション終了についての変更を前記ユーザ機器へ送信するステップと、
前記ユーザ機器がローカルエリアネットワークサービスおよび携帯電話ネットワークサービスを同時機能なしで提供する場合、非共用サービスのために、入来する移動体セッション終了についての変更を前記ユーザ機器へ送信するステップと、
前記ユーザ機器のタイプおよび前記統合レベルに基づいて、ユーザトラフィックを前記ユーザ機器へルーティングするステップと
を含むことを特徴とする、サービスを整合させる方法。
【請求項９】
前記ユーザ機器がローカルエリアネットワークサービスおよび携帯電話ネットワークサービスを同時に提供する場合、アイドルモードにある時に、非アクティブモードで同時に動作する能力に従って前記ユーザ機器を分類するが、前記ユーザ機器のアクティブ状態において、非共用サービスのために、入来する移動体セッション終了についての変更を前記ユーザ機器へ送信するステップをさらに含むことを特徴とする請求項８に記載の方法。
【請求項１０】
入来する移動体セッション終了についての変更を前記ユーザ機器へ送信する前記ステップが、入来するセッションを示すために前記ユーザ機器を呼び出すために前記変更を送信すること、および前記ユーザ機器とセッションを確立するために前記変更を送信することを含むことを特徴とする請求項９に記載の方法。
【請求項１１】
ワイヤレスローカルエリアネットワークおよび携帯電話ネットワークの複数の統合システムを有する携帯電話通信サービスを提供するネットワークにおいて、
ユーザ機器がワイヤレスローカルエリアネットワークおよび携帯電話ネットワークに同時にアクセスする能力に従って前記システムにアクセスするユーザ機器のタイプを分類する構成と、
前記ワイヤレスローカルエリアネットワークと前記携帯電話ネットワークの間の統合レベルを識別する構成と、
前記ユーザ機器のタイプおよび前記統合レベルに基づいて、入来する移動体セッション終了についての変更を前記ユーザ機器へ送信する構成と、
前記ユーザ機器のタイプおよび前記統合レベルに基づいて、ユーザトラフィックを前記ユーザ機器へルーティングする構成と
を備えたことを特徴とするネットワーク。
【請求項１２】
前記ネットワークが、前記ワイヤレスローカルエリアネットワークと携帯電話ネットワークの間に所定のデータ信号・制御情報を交換するための接続を提供するがユーザ転送指示データを交換するための接続を提供しない場合、前記ネットワークは、前記携帯電話ネットワークシステムと通信するユーザ機器に、前記ワイヤレスローカルネットワークから受信される変更情報を提供し、前記ユーザ機器が変更データを直接受信する機能を有する場合、該変更データを生成する前記ネットワークが、前記ユーザ機器に該変更データを提供することを特徴とする請求項１１に記載のネットワーク。
【請求項１３】
ワイヤレスローカルエリアネットワークおよび携帯電話ネットワークの複数の統合システムでサービスを整合させる方法において、
ユーザ機器がワイヤレスローカルエリアネットワークおよび携帯電話ネットワークに同時にアクセスする能力に従って前記システムにアクセスするユーザ機器のタイプを分類するステップと、
前記ワイヤレスローカルエリアネットワークと前記携帯電話ネットワークの間の統合レベルを識別するステップと、
前記ユーザ機器のタイプおよび前記統合レベルに基づいて、入来する移動体セッション終了についての変更を前記ユーザ機器へ送信するステップと、
前記ユーザ機器のタイプおよび前記統合レベルに基づいて、ユーザトラフィックを前記ユーザ機器へルーティングするステップと
を含むことを特徴とする、サービスを整合させる方法。
【請求項１４】
少なくとも１つの重なり合う地理的カバレジエリアを有するワイヤレスローカルエリアネットワークおよび携帯電話ネットワーク、ならびにある統合レベルと、
前記地理的カバレジエリア内に位置し、前記ワイヤレスローカルエリアネットワークおよび前記携帯電話ネットワークへの同時アクセス機能に関してあるタイプを有する少なくとも１つのユーザ機器と、
前記ユーザ機器のタイプおよび前記統合レベルに基づく、前記ワイヤレスローカルエリアネットワークと前記携帯電話ネットワークの間のデータ信号接続と、
前記ユーザ機器のタイプおよび前記統合レベルに基づく、前記ワイヤレスローカルエリアネットワークと前記携帯電話ネットワークの間のユーザトラフィック接続と
を備えたことを特徴とするワイヤレス通信システム。
【請求項１５】
前記ユーザ機器が前記ワイヤレスローカルエリアネットワークに関してアイドルであり前記携帯電話ネットワークに関してアクティブである時、前記ワイヤレスローカルエリアネットワークが、前記携帯電話ネットワークを通じて前記ユーザ機器へメッセージを送信することによって、入来するワイヤレスローカルエリアネットワーク伝送について前記ユーザ機器に通知することを特徴とする請求項１４に記載のシステム。
【請求項１６】
前記ユーザ機器が前記ワイヤレスローカルエリアネットワークに関してアクティブにされ、前記入来する伝送が、前記ワイヤレスローカルエリアネットワークを通じて前記ユーザ機器へ送信されることを特徴とする請求項１５に記載のシステム。
【請求項１７】
前記ユーザ機器が前記ワイヤレスローカルエリアネットワークに関してオフであることを特徴とする請求項１５に記載のシステム。
【請求項１８】
前記ユーザ機器が前記携帯電話ネットワークに関してアイドルであり前記ワイヤレスローカルエリアネットワークに関してアクティブである時、前記携帯電話ネットワークが、前記ワイヤレスローカルエリアネットワークを通じて前記ユーザ機器へメッセージを送信することによって、入来する携帯電話ネットワーク伝送について前記ユーザ機器に通知することを特徴とする請求項１４に記載のシステム。
【請求項１９】
前記ユーザ機器が前記携帯電話ネットワークに関してアクティブにされ、前記入来する伝送が、前記携帯電話ネットワークを通じて前記ユーザ機器へ送信されることを特徴とする請求項１８に記載のシステム。
【請求項２０】
前記ユーザ機器が前記携帯電話ネットワークに関してオフであることを特徴とする請求項１８に記載のシステム。
【手続補正２】
【補正対象書類名】明細書
【補正対象項目名】００３６
【補正方法】変更
【補正の内容】
【００３６】
ＵＥ５６が携帯電話ネットワーク６０に関してアクティブであり、ＷＬＡＮ５８に関してアイドルである時、ＷＬＡＮ５８は、ＷＬＡＮ５８と携帯電話ネットワーク６０の間のデータ信号接続６４を用いて携帯電話ネットワーク６０の無線チャネル経由で、または整合せず独立に、ＵＥ５６を呼び出すことができる。しかし、ＵＥ５６が携帯電話セッションを終了することに決めなければ、ＷＬＡＮ５８はセッションを確立することができない。ＵＥ５６が携帯電話セッションを終了することに決めた場合、WLANセッションを確立するために「最適な」ネットワークが選択され得る。
【手続補正３】
【補正対象書類名】明細書
【補正対象項目名】００３８
【補正方法】変更
【補正の内容】
【００３８】
次に図９を参照する。図９は、ユーザ・ネットワークシナリオＣ１を示している。このシナリオはシナリオＣ０と同様であるが、ネットワーク１０８、１１０間にデータ信号接続１１６が存在する点で、統合レベルがより高くなっている。ＵＥ１０６がアイドルであり、携帯電話ネットワーク１１０（またはＷＬＡＮ１０８）に接続されている時、ＷＬＡＮ１０８（または携帯電話ネットワーク１１０）が、ＷＬＡＮ１０８と携帯電話ネットワーク１１０の間のデータ信号接続１１６を用いて整合して、ＵＥ１０６を呼び出すことができる。ＵＥ１０６の機能制約により、セッションは、２つのネットワーク１０８、１１０の一方との間でしか確立することができない。セッションがＷＬＡＮ１０８（または携帯電話ネットワーク１１０）との間で確立される場合、携帯電話ネットワーク１１０（またはＷＬＡＮ１０８）への既存の接続を切断し、ＷＬＡＮ１０８（または携帯電話ネットワーク１１０）へ新たな接続を設定しなければならない。